(57)【特許請求の範囲】
【請求項１】
複数の建物ユニットを組み合わせて構成された建物本体と、この建物本体の上方に設けられた複数の屋根パネルとを備えたユニット式建物であって、
前記建物本体と前記屋根パネルとの間に側面Ｌ字状の複数の小屋裏ユニットが介装され、これらの小屋裏ユニットの各々は、床パネルと、この床パネルの少なくとも一側縁に沿って立設された壁パネルとを備え、かつ、前記壁パネルが対向されて配置され、これらの小屋裏ユニットの間には、介装床パネルが設けられ、
前記屋根パネルは、前記壁パネルの先端縁と、前記床パネルの先端縁との間に架け渡されて支持されていることを特徴とするユニット式建物。
【請求項２】
請求項１に記載のユニット式建物において、
前記床パネルおよび前記壁パネルの前記一側縁に沿った長さ寸法は、同じであることを特徴とするユニット式建物。
【請求項３】
請求項１に記載のユニット式建物において、
前記床パネルの前記一側縁に沿った長さ寸法は、前記壁パネルの該寸法よりも大きいことを特徴とするユニット式建物。
【請求項４】
請求項１ないし請求項３のいずれかに記載のユニット式建物において、
前記床パネルの屋外側に配置された屋外側端縁には、ブラケットが設けられ、
前記屋根パネルは、このブラケットにその軒先側が接合されていることを特徴とするユニット式建物。
【請求項５】
請求項１ないし請求項３のいずれかに記載のユニット式建物において、
前記床パネルの屋外側に設けられた屋外側端縁には、屋内側に配置される前記壁パネルよりも低い屋外側壁パネルが設けられ、
この屋外側壁パネルの上端縁に、前記屋根パネルの軒先側が接合されていることを特徴とするユニット式建物。
【発明の詳細な説明】
【０００１】
【発明の属する技術分野】
本発明は、複数の箱状の建物ユニットを組み合わせて構成された建物本体と、この建物本体の上方に設けられた複数の屋根パネルとを備えたユニット式建物に関するものである。
【０００２】
【背景技術】
従来より、予め工場で製造した複数の建物ユニット等を建築現場で組み合わせて建築されるユニット式建物が利用されている。
このユニット式建物によれば、建築現場での作業が大幅に削減されることから、短期間で建築工事を完了することができるというメリットが得られる。
このようなユニット式建物においては、平板状の屋根パネルで屋根を形成するとともに、その小屋裏内部を居室として利用できるようにしたものがある。
この際、屋根パネルは、側面が略三角形状となった複数の三角屋根ユニットと、これら三角屋根ユニットの間に介装される箱状の小屋裏建物ユニットとで支持されている（特開平１０−３７３１０号公報等参照）。
【０００３】
【発明が解決しようとする課題】
このようなユニット式建物の小屋裏を形成するには、二つの三角屋根ユニットおよび一つの小屋裏建物ユニットが必要となるうえ、これらのユニットを輸送するには、建物本体を構成する建物ユニットと同様に、トラック等で一つずつ輸送しなければならないので、輸送に手間がかかるという問題がある。
また、三角屋根ユニットおよび小屋裏建物ユニットは、建物本体を構成する建物ユニットと同様に、柱や梁等の構成部材の数や種類が多いので、製造作業が煩雑になり、これにより、ユニット式建物の建築作業が煩雑になるという問題もある。
さらに、小屋裏建物ユニットには、天井梁が設けられ、この天井梁が室内側へ張り出すので、小屋裏空間を狭くするという問題が生じる。
また、三角屋根ユニットは、通常、溶接接合による剛接合となっており、きわめて剛性が大きいため、そのままの状態では、小屋裏を含めた屋根部分と建物本体との剛性のバランスをとることができない。このため、従来では、剛性のバランスをとるために、ローラ接合等の特別な接合を採用し、三角屋根ユニットの剛性を小さくしているので、製造作業が煩雑になり、この点からもユニット式建物の建築作業が煩雑になるという問題がある。
【０００４】
本発明の目的は、剛性のバランスを保持しつつ、建築作業が容易なユニット式建物を提供することにある。
【０００５】
【課題を解決するための手段】
本発明は、図面を参照して説明すると、複数の建物ユニット３０を組み合わせて構成された建物本体３と、この建物本体３の上方に設けられた側面Ｌ字状の複数の屋根パネル４０とを備えたユニット式建物１であって、建物本体３と屋根パネル４０との間に複数の小屋裏ユニット５０が介装され、これらの小屋裏ユニット５０の各々は、床パネル５１と、この床パネル５１の少なくとも一側縁に沿って立設された壁パネル５２とを備え、かつ、壁パネル５２が対向されて配置され、これらの小屋裏ユニット５０の間には、介装床パネル６０が設けられ、屋根パネル４０は、壁パネル５２の先端縁（例えば、上端縁５２Ａ）と、床パネル５１の先端縁（例えば、屋外側端縁５１Ａ）との間に架け渡されて支持されていることを特徴とする。
ここで、小屋裏ユニットを形成する壁パネルおよび床パネル、ならびに介装床パネルとしては、単に枠状に形成されたフレームを有するものや、利用する場所に応じて前述のフレームに面材が貼り付けられた面状のもの等が採用できる。
このような本発明では、小屋裏を形成する小屋裏ユニットは、二つのパネルで形成すればよく、また、介装床パネルも床パネルと同様に製造すればよいので、小屋裏を形成するユニット等の製造作業が容易になる。
また、小屋裏ユニットおよび介装床パネルは、重ねて一つの輸送車に積んで輸送することが可能となるので、輸送作業が容易になる。
さらに、介装床パネルの上方は、天井梁等がなく、屋根パネルに至るまで遮るものが何もなく、開放されているので、従来に比べて天井高を高くでき、小屋裏空間を大きくすることが可能となる。
また、小屋裏ユニットの、壁パネルの先端縁および床パネルの先端縁の間に屋根パネルを架け渡して支持することによって、屋根パネルと小屋裏ユニットとがトラスを形成するので、小屋裏を含んだ屋根部分の剛性が容易に確保される。
その上、介装床パネルには、柱がないので、小屋裏部分は、建物本体の剛性とバランスがとれるようになり、ユニット式建物の剛性のバランスを容易に保持することが可能となる。
このように小屋裏を形成することによって、ユニット式建物の建築作業が容易に行えるようになる。
【０００６】
以上において、前述の床パネル５１および壁パネル５２の一側縁に沿った長さ寸法が同じであることが好ましい。
このようにすれば、床パネルおよび壁パネルの先端縁の間に支持された屋根パネルが、棟の両側において同一勾配で配列されるようになるので、簡単に切妻屋根を形成することが可能となる。
【０００７】
また、前述の床パネル５１の一側縁に沿った長さ寸法は、壁パネル５２の該寸法よりも大きいことが望ましい。
このようにすれば、一つの小屋裏ユニットに傾斜方向の異なる二つの屋根パネルが支持可能となり、床パネルおよび壁パネルの先端縁に直交するように設置することで、簡単に寄棟屋根を形成することが可能となる。
【０００８】
さらに、前述の床パネル５１の屋外側に配置された屋外側端縁５１Ａには、ブラケット５３が設けられ、屋根パネル４０は、このブラケット５３にその軒先側が接合されていることが好ましい。
このようにすれば、屋根パネルを床パネルおよび壁パネルに取り付ける際に、屋根パネルをブラケットにボルト等で取り付ければよいので、屋根パネルの取付作業が簡単に行えるようになり、ユニット式建物の建築作業を容易になる。
また、屋根パネルを、床パネルの屋外側端縁に設けられているブラケットと、壁パネルの先端縁との間に架け渡せば、壁パネルの高さ寸法の分だけ、棟から軒先に向かって傾斜の急な、下り勾配の屋根を簡単に形成することが可能となる。
【０００９】
また、前述の床パネル５１の屋外側に設けられた屋外側端縁５１Ａには、屋内側に配置される壁パネル５２よりも低い屋外側壁パネル９０が設けられ、この屋外側壁パネル９０の上端縁９０Ａに、屋根パネル４０の軒先側が接合されていることが望ましい。
このように、屋根パネルを、屋外側壁パネルの上端縁と、壁パネルの先端縁との間に架け渡せば、屋根パネルの軒先側が屋外側壁パネルの上端縁に配置されている分、棟から軒先に向かって傾斜の緩やかな、下り勾配の屋根を簡単に形成することが可能となる。
【００１０】
【発明の実施の形態】
以下に本発明の実施の形態を図面に基づいて説明する。
図１には、本発明の第１実施形態に係るユニット式建物１が示されている。
ユニット式建物１は、基礎２上に載置されて水平方向および鉛直方向に組み合わされた複数の建物ユニット３０からなる建物本体３と、この建物本体３の上方に設けられた屋根４とを備えている。
【００１１】
屋根４は、面状に形成された複数の屋根パネル４０が、棟４Ａの両側に同一勾配で傾斜配置されることで形成された切妻屋根である。
屋根パネル４０は、屋根面を形成する屋根面材の裏側周縁に四角枠状のフレームを取り付けて剛性を確保したものである。
【００１２】
建物ユニット３０は、図２に示すように、四隅に立設する柱３１と、これらの柱３１の上端および下端間に掛け渡された天井梁３２および床梁３３とで直方体状に形成された骨組み３０Ａを有するものである。床梁３３間には、図示しない床面材を支持する床根太３４が掛け渡され、天井梁３２間には、図示しない天井面材を支持する天井小梁３５が掛け渡されている。
このような建物ユニット３０が、平面視で短辺方向に３個、長辺方向に２個ずつ配列され、基礎２上に２階建てで形成されている。
【００１３】
建物本体３と屋根パネル４０との間には、図３、４に示されるように、小屋裏５が形成されている。
この小屋裏５は、内部に居室が形成されるものであり、側面Ｌ字形状の複数の小屋裏ユニット５０と、これらの小屋裏ユニット５０の間に介装される長方形状の複数の介装床パネル６０とが棟４Ａに沿って建物本体３の上部に配置されて形成されている。
【００１４】
小屋裏ユニット５０は、建物本体３の上部に設置される長方形状の床パネル５１と、この床パネル５１の一側縁に沿って立設された枠状の壁パネル５２とを備えている。
介装床パネル６０が介装された互いに対向する一対の小屋裏ユニット５０は、屋内側で壁パネル５２が対向した状態で配置されている。
ここで、床パネル５１の一側縁の長さ寸法と、壁パネル５２の当該一側縁に沿った長さ寸法（幅寸法）とは、同じ寸法となっている。
【００１５】
介装床パネル６０は、図５に示されるように、小屋裏５の床面を形成する床面材６１の裏側周縁に四角枠状のフレーム６２を取り付けて形成されている。
これにより、介装床パネル６０の上方は、天井梁等がなく、屋根パネル４０に至るまで遮るものが何もなく、開放された状態となっている。
なお、小屋裏ユニット５０の床パネル５１も、介装床パネル６０と同様の構造を有している。
【００１６】
図４に戻って、前述の屋根パネル４０は、壁パネル５２の先端縁である上端縁５２Ａと、床パネル５１の先端縁である屋外側に配置された屋外側端縁５１Ａとの間に架け渡されて支持されている。この際、床パネル５１の屋外側端縁５１Ａには、断面略く字形状のブラケット５３が設けられており、屋根パネル４０の軒先側は、このブラケット５３にボルト等で接合されている。
このように小屋裏ユニット５０で屋根パネル４０を支持することにより、ユニット式建物１の屋根部分は、屋根パネル４０と小屋裏ユニット５０とでトラスが形成される。
また、ブラケット５３は、屋根パネル４０の所定位置に接合されるようになっている。これにより、複数の屋根パネル４０を小屋裏ユニット５０上に載置することで、棟４Ａの位置が自動的に決まり、当該棟４Ａが簡単に形成可能となっている。なお、前述の床パネル５１および壁パネル５２の長さ寸法は、屋根パネル４０の幅寸法、つまり、棟４Ａに沿った長さ寸法の２倍となっている。
【００１７】
次に、このようなユニット式建物１の建築手順を以下に説明する。
まず、工場等で建物ユニット３０、小屋裏ユニット５０、介装床パネル６０および屋根パネル４０等を製造し、建築現場に輸送する。
この際、小屋裏ユニット５０、介装床パネル６０は、１台の輸送車で輸送可能となっている。具体的には、複数の小屋裏ユニット５０を、床パネル５１、壁パネル５２がそれぞれ接するように重ね、重ねた小屋裏ユニット５０の床パネル５１上に介装床パネル６０を載置し、この状態で輸送する。
【００１８】
そして、建物ユニット３０を複数組み合わせて建物本体３を形成する。
建物本体３の上部に小屋裏ユニット５０、介装床パネル６０を棟４Ａが配置される部分に沿って設置する。
壁パネル５２の上端縁５２Ａおよび床パネル５１の屋外側端縁５１Ａの間に、複数の屋根パネル４０を架け渡し、各屋根パネル４０の軒先側を床パネル５１の屋外側端縁５１Ａに設けられているブラケット５３にボルト等で接合・固定し、屋根４を形成する。
このようにしてユニット式建物１を建築する。
【００１９】
このような本実施形態によれば、次のような効果が得られる。
すなわち、小屋裏５を形成する小屋裏ユニット５０を、二つのパネル５１、５２で形成し、介装床パネル６０も床パネル５１と同様に製造したので、小屋裏５を形成するユニット等の製造作業を容易にできる。
【００２０】
また、小屋裏ユニット５０および介装床パネル６０は、重ねて一つの輸送車に積んで輸送するので、輸送作業を簡単に行うことができる。
さらに、介装床パネル６０の上方は、天井梁等がなく、屋根パネル４０に至るまで遮るものが何もなく、開放されているので、従来に比べて天井高を高くでき、小屋裏５を大きくできる。
【００２１】
また、小屋裏ユニット５０の、壁パネル５２の上端縁５２Ａおよび床パネル５１の屋外側端縁５１Ａの間に屋根パネル４０を架け渡して支持し、この屋根パネル４０と小屋裏ユニット５０とでトラスを形成したので、小屋裏５を含んだ屋根部分の剛性を容易に確保できる。
その上、介装床パネル６０には、柱がないので、小屋裏５部分は、建物本体３の剛性とバランスがとれ、ユニット式建物１の剛性のバランスを容易に保持できる。このように小屋裏５を形成することによって、ユニット式建物１の建築作業を容易に行うことができる。
【００２２】
また、床パネル５１および壁パネル５２の一側縁に沿った長さ寸法を同じにしたので、床パネル５１および壁パネル５２の屋外側端縁５１Ａ、上端縁５２Ａの間に支持した屋根パネル４０を、棟４Ａの両側において同一勾配で配列することができ、簡単に切妻屋根４を形成することができる。
【００２３】
さらに、床パネル５１の屋外側端縁５１Ａにブラケット５３を設け、このブラケット５３に、屋根パネル４０の軒先側をボルト等で接合・固定するようにしたので、屋根パネル４０の取付作業を簡単にでき、ひいては、ユニット式建物１の建築作業を容易に行うことができる。
また、屋根パネル４０を、ブラケット５３と、壁パネル５２の上端縁５２Ａとの間に架け渡したので、壁パネル５２の高さ寸法の分だけ、棟４Ａから軒先に向かって傾斜の急な、下り勾配の屋根４を簡単に形成することができる。
【００２４】
図６には、本発明の第２実施形態に係る小屋裏７が示されている。
本第２実施形態は、前記第１実施形態の切妻屋根４を、寄棟屋根８としたものである。この寄棟屋根８は、棟８Ａの両側に同一勾配で傾斜配置され、面状に形成された複数の桁側屋根パネル８１と、妻側に面して傾斜配置される妻側屋根パネル８２とで形成されている。
【００２５】
建物本体３と屋根パネル８１、８２との間には、小屋裏７が形成されている。この小屋裏７は、側面Ｌ字形状の複数の小屋裏ユニット７０と、これらの小屋裏ユニット７０の間に介装される長方形状の介装床パネル６０とが棟８Ａに沿って配置されて形成されている。
【００２６】
小屋裏ユニット７０は、建物本体３の上部に設置される長方形状の床パネル７１と、この床パネル７１の一側縁に沿って立設された枠状の壁パネル７２とを備えている。
介装床パネル６０が介装されている一対の小屋裏ユニット７０は、屋内側で壁パネル７２が対向された状態で配置されている。
ここで、床パネル７１の一側縁の長さ寸法は、壁パネル７２の当該一側縁に沿った長さ寸法（幅寸法）よりも大きくなっている。
介装床パネル６０の上方は、前記第１実施形態と同様に、天井梁等がなく、屋根パネル８１、８２に至るまで遮るものが何もなく、開放された状態となっている。
【００２７】
桁側屋根パネル８１は、図７にも示すように、壁パネル７２の上端縁７２Ａと、この上端縁７２Ａと平行となる床パネル７１の屋外側端縁７１Ａとの間に架け渡されて支持されている。
妻側屋根パネル８２は、壁パネル７２の上端縁７２Ａと、この上端縁７２Ａと交差する床パネル７１の妻側端縁７１Ｂとの間に架け渡されて支持されている。このように、一つの小屋裏ユニット７０には、傾斜方向の異なる二つの屋根パネル８１、８２が支持可能となっている。
【００２８】
この際、床パネル７１の屋外側端縁７１Ａおよび妻側端縁７１Ｂには、前記第１実施形態と同様に、図示しない断面略く字形状のブラケットが設けられており、桁側屋根パネル８１および妻側屋根パネル８２の軒先側は、このブラケットにボルト等で接合されている。
このように小屋裏ユニット７０で桁側屋根パネル８１を支持することで、建物の屋根部分は、桁側屋根パネル８１と小屋裏ユニット７０とでトラスが形成される。
【００２９】
このような本第２実施形態によれば、前述の第１実施形態と同様の効果が得られる他、床パネル７１の一側縁に沿った長さ寸法が壁パネル７２の該寸法よりも大きく、一つの小屋裏ユニット７０に傾斜方向の異なる二つの屋根パネル８１、８２が支持可能となっているので、これら屋根パネル８１、８２を床パネル７１および壁パネル７２の先端縁に直交するように設置することで、簡単に寄棟屋根８を形成できる。
【００３０】
なお、本発明は前記実施の形態に限定されるものではなく、本発明の目的を達成できる他の構成等を含み、以下に示すような変形等も本発明に含まれる。
例えば、屋根としては、壁パネル５２の上端縁５２Ａおよび床パネル５１の屋外側端縁５１Ａの間に屋根パネル４０を架け渡して形成するに限らず、例えば、図８に示されるように、床パネル５１の屋外側端縁５１Ａに、壁パネル５２よりも高さ寸法の低い屋外側壁パネル９０を設け、この屋外側壁パネル９０の上端縁９０Ａと、壁パネル５２の上端縁５２Ａとの間に屋根パネル４０を架け渡し、屋外側壁パネル９０の上端縁９０Ａに屋根パネル４０の軒先側を接合して形成してもよい。
このように、屋根パネル４０を、屋外側壁パネル９０の上端縁９０Ａと、壁パネル５２の上端縁５２Ａとの間に架け渡せば、屋根パネル４０の軒先側が屋外側壁パネル９０の上端縁９０Ａに配置されている分、棟４Ａから軒先に向かって傾斜の緩やかな、下り勾配の屋根を簡単に形成することができるとともに、小屋裏空間を拡張できる。
【００３１】
また、屋根パネルとしては、ブラケットに接合するに限らず、例えば、床パネルの屋外側端縁に直接固定されていてもよいし、または、壁パネルの上端縁に接合・固定されていてもよく、取付場所は実施に当たって適宜決めればよい。
【００３２】
さらに、床パネルの長さ寸法および壁パネルの長さ寸法としては、例えば、屋根の形状や、支持する屋根パネルの枚数等に合わせて適宜決めればよい。
【００３３】
【発明の効果】
以上に述べたように、本発明のユニット式建物によれば、剛性のバランスを保持しつつ、建築作業を容易にできるという効果がある。
【図面の簡単な説明】
【図１】本発明の第１実施形態におけるユニット式建物を示す斜視図である。
【図２】前記実施形態における建物ユニットの骨組みを示す斜視図である。
【図３】前記実施形態における小屋裏を示す分解斜視図である。
【図４】前記実施形態における小屋裏を示す断面図である。
【図５】前記実施形態における床パネルおよび介装床パネルの構造を示す分解斜視図である
【図６】本発明の第２実施形態における小屋裏を示す分解斜視図である。
【図７】前記実施形態における小屋裏を示す平面図である。
【図８】本発明の変形例であって、小屋裏を示す断面図である。
【符号の説明】
１  ユニット式建物
３  建物本体
３０  建物ユニット
４０  屋根パネル
５０  小屋裏ユニット
５１  床パネル
５１Ａ  先端縁である屋外側端縁
５２  壁パネル
５２Ａ  先端縁である上端縁
５３  ブラケット
６０  介装床パネル
９０  屋外側壁パネル
９０Ａ  上端縁
【図１】
0004091705.tif 000002
【図２】
0004091705.tif 000003
【図３】
0004091705.tif 000004
【図４】
0004091705.tif 000005
【図５】
0004091705.tif 000006
【図６】
0004091705.tif 000007
【図７】
0004091705.tif 000008
【図８】
0004091705.tif 000009